(57)【要約】【課題】リュックサックを背負う際に、肩に掛かる重さを分散させ、リュックサックを背中から離して風通しをよくすることができ、しかも、リュックサックが大型化せず、かつ専用のリュックサックの購入は不要であり、さらに、リュックサックを背負ったり降ろしたりする際の取り扱いが容易なリュックサック支持具を提供する。【解決手段】腰のベルト７へ、ループ形状の面ファスナー９を通して垂らす。この面ファイナーに本体１１を取り付ける。本体１１は、垂設されて腰の後部に接する垂直部１３と、この垂直部１３に一体的に設けられる支持棚部１７とからなる。この支持棚部１７は、後方へ略水平方向へ突出してリュックサック３の底部１９を支持する。【選択図】図1
0003134878.tif 000002
【実用新案登録請求の範囲】
【請求項１】
腰のベルトから垂設されて腰に接する垂直部と、この垂直部に設けられ略水平方向へ突出してリュックサックの底部を支持する支持棚部と、を有することを特徴とするリュックサック支持具。
【請求項２】
前記垂設をするための手段は、前記ベルトを通すループ形状を有し、前記垂直部を取り付ける幅を有する面ファスナーであることを特徴とするリュックサック支持具。
【考案の詳細な説明】
【技術分野】
【０００１】
この考案は、重いリュックサックを背負って歩く時に、背負う人の負担を軽減するリュックサック支持具の構造に関する。
【背景技術】
【０００２】
重いリュックサックを背負って歩く時、肩に掛かる重さを分散させたり、リュックサックを背中から離して風通しをよくしたりするために、リュックサックの底部を手で支えるようにして歩くことがよくある。しかし、このように手を使うと、登山用の杖をつくことができず、物に掴まって体を支えるためにとっさに手を使うことが不可能になり危険であった。
【０００３】
そして、肩に掛かる重さを分散させるために、特許文献１のように、リュックサックの腰に接する部分にパッドを一体的に設け、これにより重さの一部を腰で支持するように提案したものがある。
さらに、特許文献２のようなリュックサックと一体化する背負子を用いれば、肩に掛かる重さを分散させることができる。
また、特許文献３のように、腰に巻いたベルトに設けたフックに棒状の梃子を支えさせ、この梃子の後方にネットを設けてリュックサックの底部を支え、この梃子の前方を手で押し下げることで、肩に掛かるリュックサックの重さを分散させ、リュックサックを背中から離して風通しをよくすることが可能と考えられる。
【特許文献１】実用新案登録３０９２５１６
【特許文献２】特開２００１−１６１４４０
【特許文献３】特開２００６−３１１９８４
【考案の開示】
【考案が解決しようとする課題】
【０００４】
しかしながら、特許文献１のように、リュックサック自体にパッドなどを設けると、リュックサックが大型化してしまい取り扱いが面倒であり、さらに、専用のリュックサックを購入しなければならず不経済である。
また、特許文献２のように、リュックサックとは別に背負子を用意すれば購入費用はやや低減できるものの、背負子と一体化したリュックサックは大型化してしまい取り扱いが面倒である。
さらに、特許文献３によれば、ベルトや梃子はネットを介してリュックサックと実質上は一体化するものであり、リュックサックを背負ったり降ろしたりする際の取り扱いが大変に面倒になる。
【０００５】
この考案は、以上の問題点を解決するために、肩に掛かるリュックサックの重さを分散させ、リュックサックを背中から離して風通しをよくすることができ、しかも、リュックサックが大型化せず、かつ専用のリュックサックの購入は不要であり、さらに、リュックサックを背負ったり降ろしたりする際の取り扱いが容易なリュックサック支持具を提供することを目的とする。
【課題を解決するための手段】
【０００６】
以上の課題を解決するために、第一考案は、腰のベルトから垂設されて腰に接する垂直部と、この垂直部に設けられ略水平方向へ突出してリュックサックの底部を支持する支持棚部と、を有することを特徴とするリュックサック支持具である。
第二考案は、さらに、前記垂設をするための手段は、前記ベルトを通すループ形状を有し、前記垂直部を取り付ける幅を有する面ファスナーであることを特徴とするリュックサック支持具である。
【考案の効果】
【０００７】
第一、または第二考案によれば、腰のベルトから垂設された垂直部に設けられる支持棚部が、リュックサックの底部を支持することにより、肩に掛かるリュックサックの重さを分散させることができる。また、底部を強く支持されたリュックサックは、背中から離れ、風通しがよくなる。
【０００８】
さらに、このリュックサック支持具は、リュックサックと別体であり、よってリュックサックが大型化せず、かつ専用のリュックサックの購入は不要である。
また、支持棚部は、リュックサックの底部と分離しており、このため、リュックサックを背負ったり降ろしたりする際に、リュックサックは通常と同様に取り扱うことができる。また、その際にリュックサック支持具は、背負う人の腰に装着したままにすることができる。よって、取り扱いが容易である。
【０００９】
さらに、第二考案によれば、ループ形状の面ファスナーの貼りつきを剥がし、そのループ形状に沿って移動し、再び貼りつけることで、垂直部及び支持棚部の上下位置を容易に変更できる。  
【考案を実施するための最良の形態】
【００１０】
この考案の実施形態を、図１及び図３に示す。
図１、図２に示すように、この実施形態のリュックサック支持具１は、リュックサック３を背負う人５の腰のベルト７、通常はズボンのベルト７に装着する。
すなわち、腰のベルト７へ通すための、ループ形状の面ファスナー９を有する。ベルト７へ通した状態で、面ファスナー９は腰の後部に垂らされる。面ファスナー９は、厚手の布地を有し、所定の幅のものが、２本、左右に配置される。２本とすることで、幅の広い本体に容易に対応できる。
【００１１】
この２条の面ファイナーに本体１１を取り付ける。本体１１は、木製で、縦断面が横向きのＴ字形状を有する。すなわち垂直部１３が、２条の面ファイナー９に跨って、ボルトナット１５あるいはビスなどで取り付けられて垂設され、腰の後部に接する。この垂直部１３に一体的に支持棚部１７が設けられる。この支持棚部１７は、後方へ略水平方向へ突出してリュックサック３の底部１９を支持する。
【００１２】
（使用方法）
図２に示すように、このリュックサック支持具１を使用する際には、ループ形状の面ファスナー９に腰のベルト７を通し、リュックサック支持具１が腰の後部に接する状態にして装着する。そして、リュックサック３を背負い、その底部１９を支持棚部１７で支持する。
【００１３】
支持する強さは、支持棚部１７の上下位置で異なる。図３に示すように、この上下位置の変更は、ループ形状の面ファスナー９の貼りつきを剥がし（図３（Ｂ））、そのループ形状に沿って面ファスナー９を移動し、よって本体１１を上下に移動する。背負う人５の好みで、上下位置を調整し、肩に掛かるリュックサック３の重さを腰へ分散させる程度を調整する。また、位置を上気味にし、底部１９を強く支持されたリュックサック３は、背中から離れ、風通しがよくなる。位置の変更調整が終われば、再び面ファスナー９を貼りつける（図３（Ｃ））。
【００１４】
面ファスナー９は、ループ形状の内側でフック状に起毛された雄部領域と、ループ状に密集して起毛された雌部領域に分かれ、押し付けるだけ張り付く。初期状態、すなわち、ループ形状の面ファスナー９が貼りつけられ二つ折りになり、その上下方向中央に本体１１が位置した状態で、二つ折りの一方の内側に雄部領域が存在し、他方の内側に雌部領域が存在し、両者は完全に重なる。そして、本体１１の位置が変更すると、雄部領域と雌部領域は、重なりがずれるものの、このずれは部分的であり、雄部領域と雌部領域は多くの部分で重なり、十分に貼りつくことができる。よて、位置変更後も十分な支持強度を有する。
【００１５】
「実施形態の効果」
この実施形態によれば  腰の後部に装着されたリュックサック支持具１の支持棚部１７が、リュックサック３の底部１９を支持することにより、肩に掛かるリュックサック３の重さを腰へ分散させることができる。また、支持棚部１７によって底部１９を強く支持されたリュックサック３は、背中から離れ、風通しがよくなる。
【００１６】
このリュックサック支持具１は、リュックサック３と別体で購入できる。別体であるため、リュックサック３が大型化せず、かつ従来のような専用のリュックサック３の購入は不要である。背負う人５は、使用しなれたリュックサック３を使用し続けることができる。
【００１７】
また、支持棚部１７は、リュックサック３の底部１９と分離している。このため、リュックサック３を背負ったり降ろしたりする際に、リュックサック３は通常と同様に取り扱うことができる。また、その際にリュックサック支持具１は、背負う人５の腰に装着したままにすることができる。よって、リュックサック３、及びリュックサック支持具１の取り扱いが容易である。
【００１８】
さらに、ループ形状の面ファスナー９の貼りつきを剥がし、そのループ形状に沿って移動し、再び貼りつけることで、本体１１の上下位置を容易に変更できる。よって、背負う人５の好みで、上下位置を容易に調整し、肩に掛かるリュックサック３の重さを腰へ分散させる程度を簡単に調整できる。また、上下位置を容易に調整し、リュックサック３の底部１９を強く支持することでリュックサック３を背中から離し、風通しを簡単によくできる。
【００１９】
リュックサック３の荷重は支持棚部１７に受けられ、広い面積の垂直部１３によって腰や臀部に伝えられる。また、支持棚部１７と垂直部１３とからなる本体１１は、縦断面が横向きのＴ字形状を有するので、Ｌ字形状に比べ、荷重によるモーメントは、腰や臀部に片当りを生じにくい。
【００２０】
「他の実施形態」
以上の実施形態では、本体１１は木製としたが、他の実施形態では、プラスチック製や金属製とすることができる。
また、以上の実施形態では、支持棚部１７と垂直部１３とは一体であるとしたが、他の実施形態では、一体的でなくてもよく、垂直部１３に対する支持棚部１７の位置を調整できるものでもよい。
また、以上の実施形態では、垂直部１３を取り付ける広い幅を確保するために面ファスナー９は２本が左右に配置されるものであったが、他の実施形態では、幅広の１本の面ファスナー９であってもよい。
【図面の簡単な説明】
【００２１】
【図１】この考案の一実施形態に係るリュックサック支持具の斜視図である。
【図２】図１のリュックサック支持具の使用状態図である。
【図３】（Ａ）（Ｂ）（Ｃ）は、図１のリュックサック支持具の位置調整機能を順に説明する図である。
【符号の説明】
【００２２】
１…リュックサック支持具、３…リュックサック、５…背負う人、７…ベルト、９…面ファスナー、１１…本体、１３…垂直部、１５…ボルトナット、１７…支持棚部、１９…底部。
【図１】
0003134878.tif 000003
【図２】
0003134878.tif 000004
【図３】
0003134878.tif 000005
【手続補正書】
【提出日】平成19年7月2日(2007.7.2)
【手続補正１】
【補正対象書類名】実用新案登録請求の範囲
【補正対象項目名】全文
【補正方法】変更
【補正の内容】
【実用新案登録請求の範囲】
【請求項１】
腰のベルトから垂設されて腰に接する垂直部と、この垂直部に設けられ略水平方向へ突出してリュックサックの底部を支持する支持棚部と、を有することを特徴とするリュックサック支持具。
【請求項２】
前記垂設をするための手段は、前記ベルトを通すループ形状を有し、前記垂直部を取り付ける幅を有する面ファスナーであることを特徴とする請求項１に記載のリュックサック支持具。